(57)【要約】【課題】ネックレスは、首の後ろや前で手探り状態で留具を接合しなければならないため、目視で確認できず装着が困難であった。そこで、容易にネックレスを装着できるアクセサリー用品を提供するものである。【解決手段】2本のチェーンをスライドボールに通し、一方の先端の各々に留具を、もう一方の先端の各々に根付を設けて成る多機能アクセサリー用品である。【選択図】図３
2016054944.tif 000002
【特許請求の範囲】
【請求項１】
2本のチェーンをスライドボールに通し、一方の先端の各々に留具を設け、もう一方の先端の各々には根付を設けて成ることを特徴とした多機能アクセサリー用品。
【請求項２】
2本のチェーンをスライドボールに通し、一方の先端の各々にネックレス本体と同機能の留具を設け、もう一方の先端の各々には根付を設けて、前記留具とネックレス本体の留具とを連結させて使用することを特徴とした多機能アクセサリー用品。
【請求項３】
上記の留具又はスライドボールに実用的な機能面だけでなく、装飾手段を設けたことを特徴とした請求項1又は2記載の多機能アクセサリー用品。
【発明の詳細な説明】
【技術分野】
【０００１】
ネックレス等に使用するアクセサリー用品に関するものである。
【背景技術】
【０００２】
従来のネックレスは環状にして、首の後ろか又は前で接合部（本願では留具ともいう。）と被接合部を連結して首に掛けている。しかし、環状の長さが短いネックレスでは接合部が目視できず手探りで連結するのが困難であった。特に高齢者や、身体支障者にはより困難である。
一般に、ネックレスの長さは４０ｃｍを基準にして３８cm、４０cm,４２cm・・・.に制作され、販売されているので自分の体型や好みに合った長さの品を購入する。しかし、着用する衣装によって襟周り空き具合に適したネックレス等が必要であるが、高価なため何本も購入することは出来ない。
特に、親や知人等から戴いた高価なネックレスは体型に合わないことが多く、使用し難い面がある。
そこで、上記の問題の一策とも採れる、特開２０００−３２５１１８や特開２０００−５０９２０で環状の長さを調整するネックレスが提案されている。
【０００３】
しかしながら、上記のネックレスの環状の長さを調整する手段がネックレス本体に固着されているので、長さ調整が不要な際にも該調整部が前に垂れ下がり、装飾性としては一考されるし限定的である。高価なネックレスの場合は尚更考させられる。
更に、上記調整手段はネックレス本体と一体化されているので、他の用途に代用できない経済的な問題もあった。
【先行技術文献】
【特許文献】
【０００４】
【特許文献１】特開２０００−３２５１１８
【特許文献２】特開２０００−５０９２０
【発明の概要】
【発明が解決しようとする課題】
【０００５】
そこで、本願は上記の諸問題を解消する為に、長さ調整部をネックレス本体部から容易に離脱接合でき、更に、この長さ調整部品を他の用途、例えば、ブレスレットや髪の結束に、又はハンドバック類のストラップ等にと、多用途に適用できる新規な多機能アクセサリー用品を提供するものである。
【課題を解決するための手段】
【０００６】
本願の多機能アクセサリー用品の基本は、ネックレス本体の留具部と容易に装着できる留具を設け、更に長さ調整が出来るもので、その構造は、スライドボールに2本のチェーンを通し一方の先端に前記ネックレス本体の留具と同機能の留具を取付け、他端部に根付を取付けたものである。
又、根付はネックレス本体の珠を1ケづつ取り外し、根付保持具に合体させたものをそれとすることもできる。                                                                                     
スライドボールや留具にも装飾を施すことで実用的な留具としてだけでなく、ネックレスのデザインの一部として見ることができ、違和感なくお洒落を楽しむことができる。  
従って、本多機能アクセサリー用品をネックレス本体に装着した場合、スライドボールを移動させることでネックレスの環状が長くなり、頭からかぶり首にセットし、その後スライドボールを調整すれば衣装に合わせて首周りにセットすることができ、容易に装着出来、且つ一段と華やかににネックレスを見せることができる。
根付とはスライドボールをスライドさせた時スライドボールがチェーンから飛び出さないための留めである。
尚、この多機能アクセサリー用品は前（胸）においても後ろ（背中）においてもよいところが本願の最大の特徴であり、大きな効果である。外す時もスライドボールを移動させチェーンの環状を長くすると容易に外すことができる。
更に、本願の留具やスライドボールの構造は特に限定するものではないが留具の機能はネックレス本体のそれと同一であることを要す。
但し、装飾手段として留具やスライドボール自体を動植物や幾何学的な形状などにして色彩を施し装飾性を施すか、或いは、別途制作した装飾部品を通常の留具やスライドボールに脱着可能にしてより一層装飾性を高めることもできる。
【発明の効果】
【０００７】
ネックレスの各々の接合部にスライドボール付きのチェーンを接合させ、スライドボールを移動させることでチェーンの環状を長くでき、容易に頭からかぶり首回りに下し、又スライドボールを調節することで首回りに落ち着かせることができる。又、ネックレス等を装着している時、時間の経過とともに接合部の留め金がだんだん下に移動することがあるが、根付を下げることで移動しにくくなる。」
【０００８】
このアクセサリー用品は単独で他用途に使用することも出来る。
例えば、手首にセットすればお洒落なブレスレットにも成り、髪の結束としてセットすれば一層艶やかな髪留めになる。更に、ハンドバック等に取り付けることが出来きるなど実用的で経済的で、色んなお洒落を楽しむことができる新規な多機能アクセサリー用品である。
【０００９】
留具やスライドボールに装飾手段を設けることによって、衣装や雰囲気に応じたお洒落ができ一層楽しむことができる。
【図面の簡単な説明】
【００１０】
【図１】本願の多機能アクセサリー用品の実施例を示す斜視図である。
【図２】本願の多機能アクセサリー用品の実施例を示す斜視図である。
【図３】ネックレス本体に本願の多機能アクセサリー用品を装着した斜視図である。
【図４】本願の多機能アクセサリー用品をブレスレットとして使用した斜視図である
【図５】本願の多機能アクセサリー用品を髪の結束バンドとして使用した斜視図である。
【図６】本願の多機能アクセサリー用品をハンドバックにストラップとして使用した斜視図である。
【発明を実施するための形態】
【実施例】
【００１１】
図２に示すように、スライドボール（４）に2本のチェーン（３）を通し先端にネックレス本体の留具と同機能の留具（１）（２）を取付け、他端に根付（５）を取付けた多機能アクセサリー用品（８）である。
より詳細に説明すると、
ネックレスの留具凸部（２）にアクセサリー用品の留具凹部（１）を接続させる。同様ネックレスの留具凹部に（１）にアクセサリー用品の留具凸部（２）を接続させる。スライドボール（４）を根付（５）の方へ移動させるとネックレスの環が長くなる。頭からかぶり、スライドボールを移動させて好みの長さに縮める。
【００１２】
図２は上記の多機能アクセサリー用品（８）を、ネックレス本体（９）に装着した図である。
留具は、ネックレス本体と同じ機能であることを示す。
【００１３】
図３は上記の多機能アクセサリー用品（８）を、ブレスレット(10)用として手首（１1）に装着した図である。
【００１４】
図４は上記の多機能アクセサリー用品（８）を結束バンド（１2）として髪に装着した図である。尚、従来の結束バンドに取り付けることもできる。
スライドボールに留部を設け、花の絵柄をした装飾部品（１3）を装着した。
【００１５】
図５は上記の多機能アクセサリー用品（８）をハンドバック（１４）に装着した図である。
スライドボールに留部を設け動物の絵柄をした装飾部品（１３）を装着した。
【符号の説明】
【００１６】
１  留具（凹型）
２  留具（凸型）
３  チェーン
４  スライドボール
５  根付保持具
６  根付
７  留具（凹）の装飾部品
８  多機能アクセサリー用品
９  ネックレス本体
１０  手首
１１  ブレスレット                                                  
１２  髪の結束バンド
１３  スライドボールの装飾部品
１４  ハンドバッグ
【図１】
2016054944.tif 000003
【図２】
2016054944.tif 000004
【図３】
2016054944.tif 000005
【図４】
2016054944.tif 000006
【図５】
2016054944.tif 000007
【図６】
2016054944.tif 000008